(57)【特許請求の範囲】
【請求項１】
顕微鏡筐体ユニットに対して各種増設ユニットを取り付け可能に構成した顕微鏡システムにおいて、
前記顕微鏡筐体ユニットは、内部に配設されるとともに前記増設ユニットへ電力の供給又は情報の伝送を行なう第１の伝送媒体と、前記第１の伝送媒体と接続されるとともに前記増設ユニットとの接続部に設けられた第１の結合端とを備え、
前記増設ユニットは、内部に配設されるとともに前記顕微鏡筐体ユニットからの電力の伝送又は情報の伝送を行なう第２の伝送媒体と、前記第２の伝送媒体と接続されるとともに前記顕微鏡筐体ユニットとの接続部に設けられた第２の結合端とを備え、
前記顕微鏡筐体ユニットと前記増設ユニットとを接続する際に、前記第１の結合端と前記第２の結合端とが接続されることにより、電力の供給又は情報の伝送を行ない、
前記顕微鏡筐体ユニットは、前記増設ユニットの第２の結合端と接続される複数の第１の結合端と、前記複数の第１の結合端のうちのいずれかに取り付けられたかを識別するための信号を送出する光電変換回路部とを有し、
前記増設ユニットは、標本の観察像を撮像して画像データを送出する電子カメラユニットであり、前記電子カメラユニットは、前記光電変換回路部から送出される信号に基づいて前記電子カメラユニットによって得られる前記画像データを回転、上下反転又は左右反転させる変換処理を行なうことを特徴とする顕微鏡システム。
【請求項２】
前記顕微鏡筐体ユニットは、接眼レンズユニットと、前記電子カメラユニットからの画像データを表示するモニタ画面を有し、
前記電子カメラユニットは、前記モニタ画面に表示される前記画像データを、前記接眼レンズユニットを通して観察される観察像と同一表示方向となるように変換処理することを特徴とする請求項１記載の顕微鏡システム。
【発明の詳細な説明】
【０００１】
【発明の属する技術分野】
本発明は、顕微鏡筐体ユニットに対して電子カメラユニットなどの増設ユニットを取り付け可能に構成した顕微鏡システムに関する。
【０００２】
【従来の技術】
図５は増設ユニットを取り付け可能に構成した顕微鏡システムの外観図である。顕微鏡筐体ユニット１は、筐体２に対してステージハンドル３の操作により上下移動が自在なステージ４と、このステージ４上に載置される標本を照明するための照明光源５と、レボルバ６に取り付けられた対物レンズ７と、この対物レンズ７からの標本像を結像する接眼レンズ８などから構成されている。このうち照明光源５には、顕微鏡照明用電源ケーブル９が接続されている。
【０００３】
このような顕微鏡筐体ユニット１により得られる観察像の写真撮影を行なうために、この顕微鏡筐体ユニット１の上部に電子カメラユニット１０を取り付けると、この電子カメラユニット１０を動作させるために電子カメラ用コントローラ１１をコントローラ用ケーブル１２を介して接続し、かつ電子カメラユニット１０の電源を電源ケーブル１３を介して接続する。
【０００４】
観察像の写真撮影の際には、観察者によりステージハンドル３が操作されてステージ４上の標本に対するフォーカスが合せられ、かつ電子カメラ用コントローラ１１により電子カメラユニット１０のフォーカス、露出時間などが制御されて観察像を撮像する。
【０００５】
【発明が解決しようとする課題】
しかしながら、電子カメラユニット１０を顕微鏡筐体ユニット１のどのテレビジョン用アダプタ又は各ポートに接続するかによって電子カメラユニット１０において結像される観察像の方向が異なってしまうという問題が生じる。
【０００６】
そこで本発明は、電子カメラユニットを顕微鏡筐体ユニットのどのテレビジョン用アダプタ又は各ポートに接続した場合でも電子カメラユニットにおいて結像される観察像が異ならない顕微鏡システムを提供することを目的とする。
【０００７】
【課題を解決するための手段】
本発明は、顕微鏡筐体ユニットに対して各種増設ユニットを取り付け可能に構成した顕微鏡システムにおいて、前記顕微鏡筐体ユニットは、内部に配設されるとともに前記増設ユニットへ電力の供給又は情報の伝送を行なう第１の伝送媒体と、前記第１の伝送媒体と接続されるとともに前記増設ユニットとの接続部に設けられた第１の結合端とを備える。前記増設ユニットは、内部に配設されるとともに前記顕微鏡筐体ユニットからの電力の伝送又は情報の伝送を行なう第２の伝送媒体と、前記第２の伝送媒体と接続されるとともに前記顕微鏡筐体ユニットとの接続部に設けられた第２の結合端とを備える。前記顕微鏡筐体ユニットと前記増設ユニットとを接続する際に、前記第１の結合端と前記第２の結合端とが接続されることにより、電力の供給又は情報の伝送を行なう。前記顕微鏡筐体ユニットは、前記増設ユニットの第２の結合端と接続される複数の第１の結合端と、前記複数の第１の結合端のうちのいずれかに取り付けられたかを識別するための信号を送出する光電変換回路部とを有している。前記増設ユニットは、標本の観察像を撮像して画像データを送出する電子カメラユニットであり、前記電子カメラユニットは、前記光電変換回路部から送出される信号に基づいて前記電子カメラユニットによって得られる前記画像データを回転、上下反転又は左右反転させる変換処理を行なう。
【００１０】
【発明の実施の形態】
(1) 以下、本発明の第１の実施の形態について図面を参照して説明する。なお、図５と同一部分には同一符号を付してある。
【００１１】
図１は顕微鏡システムの構成図である。この顕微鏡システムは、顕微鏡筐体ユニット２０と接眼ユニット２１とを結合したものとなっている。顕微鏡筐体ユニット２０は、ステージハンドル３と、このステージハンドル３の操作により上下移動が自在なステージ４と、このステージ４上に載置される標本を照明するための照明光源５と、レボルバ６に取り付けられた対物レンズ７と、この対物レンズ７からの標本像を結像する接眼レンズ８などから構成されている。
【００１２】
又、顕微鏡筐体ユニット２０の上部に結合されている接眼ユニット２１には、電子カメラユニット１０が取り付けられている。この電子カメラユニット１０は、その内部に電源回路１０ａ、光電変換回路１０ｂ、撮像素子１０ｃ及び制御回路１０ｄ等が設けられている。撮像素子１０ｃは、顕微鏡筐体ユニット２０内の観察光学系からの光束を受けて標本の観察像を撮像するものであり、制御回路１０ｄは、撮像素子１０ｃを駆動して電荷を読み出し、電子画像を生成するものである。
【００１３】
上記顕微鏡筐体ユニット２０内部の下部には、本体電源回路２３が設けられ、この本体電源回路２３に顕微鏡照明用電源ケーブル９が接続されている。この本体電源回路２３は、照明光源５及び電子カメラユニット１０に電力を供給するためのものである。
【００１４】
顕微鏡筐体ユニット２０の下部には、電子カメラ用コントローラ１１がコントローラ用ケーブル１２を介して接続されている。なお、コントローラ用ケーブル１２は、コネクタ２４を用いて顕微鏡筐体ユニット２０に対して着脱自在になっている。このコントローラ用ケーブル１２の他端には、光電変換回路２５が接続されている。この光電変換回路２５は、顕微鏡筐体ユニット２０の下部に設けられ、電子カメラ用コントローラ１１から送出された電気信号の電子カメラユニット１０の操作情報などを光学的な信号に変換する機能を有している。なお、この光電変換回路２５は、本体電源回路２３から電力ケーブル２６ａを通して電力の供給を受けて動作するものとなっている。
【００１５】
又、顕微鏡筐体ユニット２０の内部には、顕微鏡コントロール部２０ａが設けられている。この顕微鏡コントロール部２０ａは、本体電源回路２３から電源の供給を受け、顕微鏡各部の制御や状態検知を行なうと共に、その情報を光電変換回路２５へ送出する構成となっている。
【００１６】
この実施の形態では、例えばレボルバ６の動作検知を行なうようにしている。レボルバ６の位置センサ２０ｂから出力される観察光軸に位置決めされたレボルバ穴の番号を示す信号を受けて、現在使用中の対物レンズ７の種別を認識できるようになっている。
【００１７】
このように認識された使用中の対物レンズ７の種別情報は、光電変換回路２５で光信号に変換され、電子カメラユニット１０に伝達される。この電子カメラユニット１０では、受け取った使用中の対物レンズ７の種別情報に基づいて、撮像動作（例えばピニング数や露出時間）、画像調整（例えばフィルタやシェーディング補正）、画像記録（例えば記録画素数や圧縮率）の各種条件設定を最適化する。
【００１８】
このように電子カメラユニット１０に対して、電子カメラ用コントローラ１１からの操作情報に加えて顕微鏡コントロール部２０ａからの顕微鏡本体ユニット２０の動作状態等の情報を伝達することによって撮像動作をより好ましいものにすることができる。
【００１９】
顕微鏡筐体ユニット２０と接眼ユニット２１と電子カメラユニット１０との各内部には、本体電源回路２３の電力を供給するための各電力ケーブル２６ｂ、２６ｃ、２６ｄがそれぞれ配設されている。
【００２０】
これら電力ケーブル２６ｂ、２６ｃ、２６ｄは、顕微鏡筐体ユニット２０と接眼ユニット２１との間、及び接眼ユニット２１と電子カメラユニット１０との間においてそれぞれ電気的に接続、切り離しが自在に構成されている。すなわち、顕微鏡筐体ユニット２０には顕微鏡筐体ユニット電源入出力端子２７が設けられ、接眼ユニット２１には顕微鏡筐体ユニット電源入出力端子２７と対向する位置に接眼ユニット電源入出力端子２８が設けられている。これら顕微鏡筐体ユニット電源入出力端子２７と接眼ユニット電源入出力端子２８とは、互いにコネクタの構造となっている。
【００２１】
又、接眼ユニット２０には接眼ユニット電源入出力端子２９が設けられ、電子カメラユニット１０には接眼ユニット電源入出力端子２９と対向する位置に電子カメラユニット電源入出力端子３０が設けられている。これら接眼ユニット電源入出力端子２９と電子カメラユニット電源入出力端子３０とは、互いにコネクタの構造となっている。
【００２２】
さらに、顕微鏡筐体ユニット２０と接眼ユニット２１と電子カメラユニット１０との各内部には、電子カメラ用コントローラ１１からの操作情報を伝送するための各光ファイバー３１ａ、３１ｂ、３１ｃがそれぞれ配設されている。このうち顕微鏡筐体ユニット２０内の光ファイバー３１ａの一端は、光電変換回路２５に接続されている。電子カメラユニット１０内の光ファイバー３１ｂは、光電変換回路１０ｂに接続されている。
【００２３】
これら光ファイバー３１ａ、３１ｂ、３１ｃは、顕微鏡筐体ユニット２０と接眼ユニット２１との間、及び接眼ユニット２１と電子カメラユニット１０との間においてそれぞれ光学的に接続、切り離しが自在に構成されている。すなわち、顕微鏡筐体ユニット２０には顕微鏡筐体ユニット光ファイバー端子３２が設けられ、接眼ユニット２１にはこの顕微鏡筐体ユニット光ファイバー端子３２と対向する位置に接眼ユニット光ファイバー端子３３が設けられている。これら顕微鏡筐体ユニット光ファイバー端子３２と接眼ユニット光ファイバー端子３３とは、互いにコネクタの構造となっている。
【００２４】
又、接眼ユニット２０には接眼ユニット光ファイバー端子３４が設けられ、電子カメラユニット１０にはこの接眼ユニット光ファイバー端子３４と対向する位置に電子カメラユニット光ファイバー端子３５が設けられている。これら接眼ユニット光ファイバー端子３４と電子カメラユニット光ファイバー端子３５とは、互いにコネクタの構造となっている。
【００２５】
このような顕微鏡システムの構造であれば、顕微鏡筐体ユニット２０に電子カメラユニット１０を取り付けると、各ユニット２０、２１、１０間の内部において各電力ケーブル２６ｂ、２６ｃ、２６ｄが顕微鏡筐体ユニット電源入出力端子２７、接眼ユニット電源入出力端子２８、接眼ユニット電源入出力端子２９及び電子カメラユニット電源入出力端子３０を介して電気的に接続される。
【００２６】
これと共に、各ユニット２０、２１、１０間の内部において各光ファイバー３１ａ、３１ｂ、３１ｃが顕微鏡筐体ユニット光ファイバー端子３２、接眼ユニット光ファイバー端子３３、接眼ユニット光ファイバー端子３４及び電子カメラユニット光ファイバー端子３５を介して光学的に接続される。
【００２７】
又、顕微鏡筐体ユニット２０には、コントローラ用ケーブル１２を介して電子カメラ用コントローラ１１が接続される。
【００２８】
観察像の写真撮影の際には、観察者によりステージハンドル３が操作されてステージ４上の標本に対するフォーカスが合せられ、かつ電子カメラ用コントローラ１１により電子カメラユニット１０のフォーカス、露出時間などが制御される。
【００２９】
このとき観察者によりステージハンドル３を操作しても電子カメラユニット１０から垂れ下がるケーブルがないので、邪魔なくステージハンドル３の操作ができる。
【００３０】
電子カメラ用コントローラ１１から送出される操作情報等は、コントローラ用ケーブル１２を介して光電変換回路２５に入力される。この光電変換回路２５は、操作情報等を光信号に変換し、各光ファイバー３１ａ、３１ｂ、３１ｃを通して電子カメラユニット１０の光電変換回路１０ｂに送出する。
【００３１】
電子カメラユニット１０は、電子カメラ用コントローラ１１から送出される操作情報等を受け取り、顕微鏡筐体ユニット２０により得られた標本の観察像を撮像する。
【００３２】
このように上記第１の実施の形態においては、顕微鏡筐体ユニット２０と接眼ユニット２１と電子カメラユニット１０との各内部に、それぞれ各電力ケーブル２６ａ、２６ｂ、２６ｃ、２６ｄと各光ファイバー３１ａ、３１ｂ、３１ｃを配設したので、顕微鏡筐体ユニット２０の上部に電子カメラユニット１０を増設しても、この電子カメラユニット１０から垂れ下がるケーブルがないので、邪魔なくステージハンドル３の操作ができる。
【００３３】
又、顕微鏡照明用電源ケーブル９から供給される電力は、本体電源回路２３から照明光源５と電子カメラユニット１０との兼用で用いることができ、それぞれ電源を別々に設ける必要がない。
【００３４】
又、電子カメラ用コントローラ１１から送出される操作情報等を各光ファイバー３１ａ、３１ｂ、３１ｃを通して電子カメラユニット１０に伝送するので、電気ノイズによる影響を受けずに誤動作を防止することができる。
【００３５】
さらに、顕微鏡筐体ユニット２０の上部には、図２に示すように上記電子カメラユニット１０に代わって、他種の電子カメラユニット４０又は銀塩写真撮影装置４１を取り付けることが可能である。この場合、電子カメラユニット４０又は銀塩写真撮影装置４１には、上記図１に示すように電源回路１０ａ、光電変換回路１０ｂ、電力ケーブル２６ｄ、光ファイバー３１ｃ、電子カメラユニット電源入出力端子３０及び電子カメラユニット光ファイバー端子３５が設けられる。
【００３６】
一方、顕微鏡筐体ユニット２０の下部には、電子カメラ用コントローラ１１に代わって、他種の電子カメラユニット４０に対する電子カメラ用コントローラ４２又は銀塩写真撮影装置４１に対する写真撮影用コントローラ４３が接続される。これら電子カメラ用コントローラ４２又は写真撮影用コントローラ４３には、それぞれ光電変換回路２５に接続するためのコントローラ用ケーブル１２及びコネクタ２４が接続されている。
【００３７】
このように他種の電子カメラユニット４０又は銀塩写真撮影装置４１を増設しても、これら電子カメラユニット４０又は銀塩写真撮影装置４１から垂れ下がるケーブルがなく、邪魔なくステージハンドル３の操作ができる。又、他種の電子カメラユニット４０又は銀塩写真撮影装置４１などを増設することで、観察像の撮影のバリエーションを増やすことができる。
【００３８】
(2) 次に、本発明の第２の実施の形態について図面を参照して説明する。
【００３９】
図３は倒立型の顕微鏡システムを側面から見た構成図であり、図４は正面から見た構成図である。
【００４０】
この倒立型の顕微鏡システムは、顕微鏡筐体ユニット５０の上部にステージ５１が設けられ、このステージ５１上に標本５２が載置されている。このステージ５１の下方には、対物レンズ５３が設けられ、この対物レンズ５３の光軸上に配置される観察光学系が三眼鏡筒５４に光学的に接続されている。この三眼鏡筒５４には、接眼レンズ５５が接続されている。
【００４１】
この三眼鏡筒５４のポート５６には、テレビジョン用アダプタ５７を介して電子カメラユニット１０が取り付けられている。
【００４２】
さらに、顕微鏡筐体ユニット５０の両側面及び正面には、それぞれ写真及びテレビジョンカメラによる撮影のための各ポート５８〜６０が設けられている。なお、顕微鏡筐体ユニット５０の両側面の各ポート５８、５９は、サイドポートと称する。なお、図４には右側のサイドポート５９に電子カメラユニット１０が取り付けらた状態が示されている。
【００４３】
従って、倒立型の顕微鏡により拡大された標本５２の観察像を撮像する場合は、いずれかのポート５６、５８〜６０に電子カメラ本体９を取り付けることになる。
【００４４】
又、顕微鏡筐体ユニット５０には、照明支持ユニット６１が結合されている。この照明支持ユニット６１には、照明光源６２が設けられ、標本５２を照明するものとなっている。
【００４５】
顕微鏡筐体ユニット５０の内部には、本体電源回路２３及び光電変換回路２５が設けられている。本体電源回路２３には、電力ケーブル６３を介して照明光源６２が接続されると共に、電力ケーブル６４を介して電子カメラユニット１０の電力供給端子１００ａが接続されている。このうち電力ケーブル６４は、途中で分岐されてそれぞれ各ポート５８〜６０に設けられた各電力供給端子６５〜６７に接続されている。なお、電力供給端子６５は、左側のサイドポート５８に設けられるが、図示の関係上から不図示としている。
【００４６】
これら電力ケーブル６３、６４は、顕微鏡筐体ユニット５０、照明支持ユニット６１、三眼鏡筒５４及びテレビジョンアダプタ５７の内部に配設されている。これら電力ケーブル６３、６４は、実際には顕微鏡筐体ユニット５０と照明支持ユニット６１との間、顕微鏡筐体ユニット５０と三眼鏡筒５４、三眼鏡筒５４とテレビジョンアダプタ５７、テレビジョンアダプタ５７と電子カメラユニット１０との間にそれぞれ各コネクタが設けられ、これらコネクタを介して接続、切り離しが可能な構成となっている。
【００４７】
光電変換回路２５には、４本の光ファイバー６８ａ〜６８ｄが接続されている。このうち光ファイバー６８ａは、電子カメラユニット１０の光ファイバ接続端子１００ｂに接続されている。光ファイバー接続端子は、直接不図示の電子カメラ内部の光電変換回路に取り付けられている。光ファイバー６８ｂは、左側のサイドポート５８に設けられた光ファイバ接続端子に接続されている。なお、この光ファイバ接続端子は、図示の関係上から不図示としている。さらに、光ファイバー６８ｃは、右側のサイドポート５９に設けられた光ファイバ接続端子７０に接続され、光ファイバー６８ｄは、正面のポート６０に設けられた光ファイバ接続端子７１に接続されている。
【００４８】
これら光ファイバー６８ａ〜６８ｄのうち光ファイバー６８ａは、顕微鏡筐体ユニット５０、三眼鏡筒５４、テレビジョンアダプタ５７の内部に配設されている。この光ファイバー６８ａは、実際には顕微鏡筐体ユニット５０と三眼鏡筒５４、三眼鏡筒５４とテレビジョンアダプタ５７、テレビジョンアダプタ５７と電子カメラユニット１０との間にそれぞれ各コネクタが設けられ、これらコネクタを介して接続、切り離しが可能な構成となっている。
【００４９】
ここで、上記光電変換回路２５は、各光ファイバー６８ａ〜６８ｄに対してそれぞれ異なる各識別信号を送出する機能を有している。これら識別信号は、電子カメラユニット１０をテレビジョン用アダブタ５７又は各ポート５８〜６０のうちいずれかに取り付けられたかを識別するためのものである。
【００５０】
従って、電子カメラユニット１０は、各光ファイバー６８ａ〜６８ｄを通して受光した識別信号から取り付けられたテレビジョン用アダブタ５７又は各ポート５８〜６０を識別し、この識別したテレビジョン用アダブタ５７又は各ポート５８〜６０に応じて観察像の画像データを上下反転、左右反転又は任意角への回転させる機能を有している。
【００５１】
このように電子カメラユニット１０を取り付けたテレビジョン用アダブタ５７又は各ポート５８〜６０を識別するのは、これらテレビジョン用アダブタ５７又は各ポート５８〜６０によって電子カメラユニット１０において結像される観察像の方向がそれぞれ異なるからである。
【００５２】
例えば、テレビジョン用アダプタ５７を通して結像される観察像は、接眼レンズ５５の観察像に対して１８０°回転した方向となり、左側のサイドポート５８で得られる観察像は接眼レンズ５５の観察像に対して左方向に９０°回転した方向となり、右側のサイドポート５９で得られる観察像は接眼レンズ５５の観察像に対して右方向に９０°回転及び左右裏反転した方向となり、正面のポート６０で得られる観察像は接眼レンズ５５の観察像に対して左方向に上下反転した方向となる。
【００５３】
従って、電子カメラユニット１０は、テレビジョン用アダブタ５７又は各ポート５８〜６０に応じて撮像により得られる画像データを回転、上下反転又は左右反転させる変換処理を行ない、どのテレビジョン用アダブタ５７又は各ポート５８〜６０に取り付けられてもそのモニタ画面には、接眼レンズ５５を通して観察される観察像と同一表示方向の画面を表示する機能を有している。
【００５４】
このような顕微鏡システムの構造であれば、顕微鏡筐体ユニット５０のポート５６に電子カメラユニット１０を取り付けると、各ユニット５０、１０間の内部において電力ケーブル６４を通して電力が本体電源回路２３から電子カメラユニット１０に供給される。又、本体電源回路２３の電力は、電力ケーブル６３を通して照明光源６２に供給される。
【００５５】
これと共に、各ユニット５０、１０間の内部において光ファイバー６８ａを通して光電変換回路２５と電子カメラユニット１０とが光学的に接続される。
【００５６】
このとき電子カメラユニット１０は、光ファイバー６８ａを伝送してくる識別信号を受光し、この識別信号からテレビジョン用アダブタ５７に取り付けられたことを認識する。なお、電子カメラユニット１０は、各ポート５８〜６０のうちいずれかのポート５８、５９又は６０に取り付けられると、各光ファイバー６８ｂ、６８ｃ又は６８ｄを通して受光したいずれかの識別信号からそのポート５８、５９又は６０を識別する。
【００５７】
観察像の写真撮影の際には、観察者によりステージハンドル３が操作されてステージ５１上の標本５２に対するフォーカスが合せられ、かつ電子カメラ用コントローラ１１により電子カメラユニット１０のフォーカス、露出時間などが制御される。このとき観察者によりステージハンドル３を操作しても電子カメラユニット１０から垂れ下がるケーブルがないので、邪魔なくステージハンドル３の操作ができる。
【００５８】
電子カメラ用コントローラ１１から送出される操作情報等は、コントローラ用ケーブル１２を介して光電変換回路２５に入力される。この光電変換回路２５は、操作情報等を光信号に変換し、光ファイバー６８ａを通して電子カメラユニット１０に送出される。
【００５９】
この電子カメラユニット１０は、電子カメラ用コントローラ１１から送出される操作情報等を受け取り、顕微鏡筐体ユニット５０により得られた標本５２の観察像を撮像する。
【００６０】
このように上記第２の実施の形態においては、顕微鏡筐体ユニット５０と照明支持ユニット６１と三眼鏡筒５４、テレビジョンアダプタ５７との各内部にそれぞれ各電力ケーブル６３、６４を配設し、顕微鏡筐体ユニット５０と三眼鏡筒５４、テレビジョンアダプタ５７との各内部に各光ファイバー６８ａ〜６８ｄを配設したので、顕微鏡筐体ユニット５０の上部に電子カメラユニット１０を増設しても、この電子カメラユニット１０から垂れ下がるケーブルがないので、邪魔なくレボルバ上下動ハンドル８０の操作ができる。
【００６１】
又、顕微鏡照明用電源ケーブル９から供給される電力は、本体電源回路２３から照明光源６２と電子カメラユニット１０との兼用で用いることができ、それぞれ電源を別々に設ける必要がない。
【００６２】
又、電子カメラ用コントローラ１１から送出される操作情報等を各光ファイバー６８ａ〜６８ｄを通して電子カメラユニット１０に伝送するので、電気ノイズによる影響を受けずに誤動作を防止することができる。
【００６３】
さらに、電子カメラユニット１０に対して各光ファイバー６８ａ〜６８ｄを通してテレビジョン用アダブタ５７又は各ポート５８〜６０の識別信号を送出することができ、電子カメラユニット１０の操作情報との伝送の兼用を図ることができる。
【００６４】
次に、本発明における他の特徴とする部分について説明する。
【００６５】
(a) 本発明は、顕微鏡本体に着脱自在に取り付けられ、この顕微鏡の観察像を撮像する撮像ユニットと、この撮像ユニットとは別体に設けられた撮像ユニット操作手段とを備える顕微鏡用撮像装置であって、前記撮像ユニットと前記撮像ユニット操作手段とは、前記顕微鏡本体を介して通信するように構成したことを特徴とする顕微鏡用撮像装置である。
【００６６】
(b) 本発明は、顕微鏡本体に着脱自在に取り付けられ、この顕微鏡の観察像を撮像する撮像ユニットと、この撮像ユニットとは別体に設けられた撮像ユニット操作手段とを備える顕微鏡用撮像装置であって、前記撮像ユニットは、前記顕微鏡本体に対する機械的接続部分にこの顕微鏡本体から電源及び前記操作手段からの操作信号の供給を受ける電気的接続手段を有し、前記撮像ユニット操作手段は、前記顕微鏡本体から電源の供給を受けると共にこの撮像ユニット操作手段からの操作信号を前記顕微鏡本体に伝達する電気的接続手段を有し、前記撮像ユニットと前記撮像ユニット操作手段とは、前記顕微鏡本体を介して通信するように構成したことを特徴とする顕微鏡用撮像装置である。
【００６７】
(c) 本発明は、上記本発明(b)の顕微鏡用撮像装置において、前記撮像ユニットは、前記電気的接続手段によって前記顕微鏡本体からこの顕微鏡の動作状態を示す状態信号を供給されるようにしたことを特徴とするものである。
【００６８】
なお、本発明は、上記第１及び第２の実施の形態に限定されるものでなく次の通りに変形してもよい。
【００６９】
例えば、電子カメラ用コントローラ１１に代わってパーソナルコンピュータを接続し、このパーソナルコンピュータから電子カメラユニット１０の操作情報を送出するようにしてもよい。
【００７０】
又、電子カメラ用コントローラ１１又はパーソナルコンピュータと光電変換回路２５との間は、無線通信、例えば赤外線等を用いたリモートコントローラで行なってもよい。
【００７１】
又、各光ファイバー６８ａ〜６８ｄに対してそれぞれ異なる各識別信号を送出するのは光電変換回路２５としているが、この光電変換回路２５に限らず、各光ファイバ接続端子１０ｂ、７０、７１において複数の発光素子等を用いて各識別信号を作成するようにしてもよい。
【００７２】
【発明の効果】
以上詳記したように本発明によれば、電子カメラユニットを顕微鏡筐体ユニットのどのテレビジョン用アダプタ又は各ポートに接続した場合でも電子カメラユニットにおいて結像される観察像が異ならない顕微鏡システムを提供できる。
【図面の簡単な説明】
【図１】本発明に係わる顕微鏡システムの第１の実施の形態を示す構成図。
【図２】本発明に係わる顕微鏡システムの第１の実施の形態において顕微鏡筐体ユニットへの他種の電子カメラユニット又は銀塩写真撮影装置の増設を説明するための図。
【図３】本発明に係わる顕微鏡システムの第２の実施の形態を側面から見た構成図。
【図４】本発明に係わる顕微鏡システムの第２の実施の形態を正面から見た構成図。
【図５】従来における増設ユニットを取り付け可能にした顕微鏡システムの外観図。
【符号の説明】
１：顕微鏡筐体ユニット
３：ステージハンドル
４：ステージ
５：照明光源
６：レボルバ
７：対物レンズ
８：接眼レンズ
９：顕微鏡照明用電源ケーブル
１０：電子カメラユニット
１０ａ：撮像素子
１０ｂ：制御回路
１１：電子カメラ用コントローラ
１２：コントローラ用ケーブル
２０：顕微鏡筐体ユニット
２０ａ：顕微鏡コントロール部
２０ｂ：位置センサ
２１：接眼ユニット
２３：本体電源回路
２４：コネクタ
２５：光電変換回路
２６ａ，２６ｂ，２６ｃ，２６ｄ：電力ケーブル
２７：顕微鏡筐体ユニット電源入出力端子
２８：接眼ユニット電源入出力端子
２９：接眼ユニット電源入出力端子
３０：電子カメラユニット電源入出力端子
３１ａ，３１ｂ，３１ｃ：光ファイバー
３２：顕微鏡筐体ユニット光ファイバー端子
３３：接眼ユニット光ファイバー端子
３４：接眼ユニット光ファイバー端子
３５：電子カメラユニット光ファイバー端子
４０：他種の電子カメラユニット
４１：銀塩写真撮影装置
４２：電子カメラ用コントローラ
４３：写真撮影用コントローラ
５０：顕微鏡筐体ユニット
５１：ステージ
５２：標本
５３：対物レンズ
５４：三眼鏡筒
５５：接眼レンズ
５６：ポート
５７：テレビジョン用アダプタ
５８〜６０：ポート
６１：照明支持ユニット
６２：照明光源
６３，６４：電力ケーブル
１００ａ，６５〜６７：電力供給端子
６８ａ〜６８ｄ：光ファイバー
１００ｂ，７０，７１：光ファイバ接続端子
【図１】
0004869465.tif 000002
【図２】
0004869465.tif 000003
【図３】
0004869465.tif 000004
【図４】
0004869465.tif 000005
【図５】
0004869465.tif 000006